(57)【要約】【課題】二層分離する吸収液を５×１０５Ｐａ以上の高圧条件下で容易に撹拌することができる二酸化炭素分離回収システムを提供する。【解決手段】一態様に係る二酸化炭素分離回収システムは、アルカリ性化合物、二酸化炭素および水が反応して二酸化炭素を吸収する吸収液であって、アルカリ性化合物を主成分とするアルカリ溶液からなる上層と、反応により生成される生成物を主成分とし、上層よりも水との親和性が高い下層とに分離する吸収液に、吸収塔と、吸収液を吸収塔から送出する送出路と、内部圧力が５×１０５Ｐａ以上の高圧域に設定された、送出路からの吸収液が底部に貯留される再生塔と、再生塔からの吸収液を加熱する加熱器と、再生塔の底部に貯留された吸収液を加熱器に供給する第１供給路と、加熱器で発生した水蒸気を再生塔に供給する第２供給路と、液溜め部から抜き出した吸収液を液溜め部に戻す加熱器用循環装置と、加熱器内で攪拌された吸収液を吸収塔に還流する還流路と、を備える。【選択図】図１
2018134604.tif 000002
【特許請求の範囲】
【請求項１】
アルカリ性化合物を含み、前記アルカリ性化合物、二酸化炭素および水が反応して二酸化炭素を吸収する吸収液であって、前記アルカリ性化合物を主成分とするアルカリ溶液からなる上層と、前記反応により生成される生成物を主成分とする溶液を含む下層であって、上層よりも水との親和性が高い下層とに分離する性質を有する吸収液に、二酸化炭素を吸収させる吸収塔と、
二酸化炭素を吸収した吸収液を前記吸収塔から送出する送出路と、
内部の圧力が５×１０５Ｐａ以上の高圧域に設定された、内部で前記送出路から供給された吸収液が降下して、底部に貯留される再生塔と、
前記再生塔から供給された吸収液が溜められる液溜め部を有し、前記液溜め部に溜められた吸収液を加熱して、吸収液中から水蒸気を発生させる加熱器と、
前記再生塔の底部に貯留された吸収液を前記加熱器に供給する第１供給路と、
前記加熱器で発生した水蒸気を前記再生塔に供給して、前記再生塔内で降下する吸収液と接触させる第２供給路と、
前記液溜め部に溜められた吸収液が攪拌されるように、前記液溜め部から抜き出すとともに、抜き出した吸収液を前記液溜め部に戻す加熱器用循環路と、前記加熱器用循環路に設けられた加熱器用ポンプとを有する加熱器用循環装置と、
前記加熱器内で攪拌された吸収液を前記吸収塔に還流する還流路と、
を備える、二酸化炭素分離回収システム。
【請求項２】
前記吸収塔内の圧力が２×１０５Ｐａ以上に設定された、請求項１に記載の二酸化炭素分離回収システム。
【請求項３】
前記再生塔の底部に貯留された吸収液が攪拌されるように、前記再生塔の底部から抜き出すとともに、抜き出した吸収液を前記再生塔の底部に戻す再生塔用循環路と、前記再生塔用循環路に設けられた再生塔用ポンプとを有する再生塔用循環装置を更に備える、請求項１又は２に記載の二酸化炭素分離回収システム。
【請求項４】
アルカリ性化合物を含み、前記アルカリ性化合物、二酸化炭素および水が反応して二酸化炭素を吸収する吸収液であって、前記アルカリ性化合物を主成分とするアルカリ溶液からなる上層と、前記反応により生成される生成物を主成分とする溶液を含む下層であって、上層よりも水との親和性が高い下層とに分離する性質を有する吸収液に、二酸化炭素を吸収させる吸収塔と、
二酸化炭素を吸収した吸収液を前記吸収塔から送出する送出路と、
内部の圧力が５×１０５Ｐａ以上の高圧域に設定された、内部で前記送出路から供給された吸収液が降下して、底部に貯留される再生塔と、
前記再生塔から供給された吸収液を加熱して、吸収液中から水蒸気を発生させる加熱器と、
前記再生塔の底部に貯留された吸収液を前記加熱器に供給する第１供給路と、
前記加熱器で発生した水蒸気を前記再生塔に供給して、前記再生塔内で降下する吸収液と接触させる第２供給路と、
前記再生塔の底部に貯留された吸収液が攪拌されるように、前記再生塔の底部から抜き出すとともに、抜き出した吸収液を前記再生塔の底部に戻す再生塔用循環路と、前記再生塔用循環路に設けられた再生塔用ポンプとを有する再生塔用循環装置と、
前記加熱器内の吸収液を前記再生塔に還流する第１還流路と、
前記再生塔の底部に貯留された吸収液を前記吸収塔に還流する第２還流路と、
を備える、二酸化炭素分離回収システム。
【請求項５】
前記加熱器は、前記再生塔から供給された吸収液が溜められる液溜め部を有し、
前記液溜め部に溜められた吸収液が攪拌されるように、前記液溜め部から抜き出すとともに、抜き出した吸収液を前記液溜め部に戻す加熱器用循環路と、前記加熱器用循環路に設けられた加熱器用ポンプとを有する加熱器用循環装置を更に備える、請求項４に記載の二酸化炭素分離回収システム。
【請求項６】
前記第１供給路には、供給ポンプが設けられており、
前記加熱器は、前記第１供給路を介して前記供給ポンプにより供給された吸収液が溜められる液溜め部と、前記液溜め部から溢れた吸収液を受ける液受け部を有する、請求項１〜５のいずれか一項に記載の二酸化炭素分離回収システム。
【請求項７】
前記加熱器は、前記第１供給路を介してサイフォン効果により吸収液が供給され、その吸収液が溜められる液溜め部を有する、請求項１〜６のいずれか一項に記載の二酸化炭素分離回収システム。
【発明の詳細な説明】
【技術分野】
【０００１】
本発明は、二酸化炭素を含むガスから二酸化炭素を分離及び回収する二酸化炭素分離回収システムに関する。
【背景技術】
【０００２】
石炭ガス化ガス、天然ガス田からは、二酸化炭素等の不純物を含む天然ガス、石炭、重油などが採掘されるが、これらを燃料とする火力発電所、製鉄所のボイラ、セメント工場のキルン等から排出されるガスなどから、温室効果ガスである二酸化炭素を分離および回収する二酸化炭素分離回収システムが利用されている。
【０００３】
二酸化炭素分離回収システムとしては、アルカリ性化合物を含む吸収液に二酸化炭素を接触させ、該アルカリ性化合物と二酸化炭素を反応させることにより吸収液中に二酸化炭素を吸収させる化学吸収法を用いたものが知られている。また、二酸化炭素分離回収システムに用いられる吸収液としては、二酸化炭素を吸収することにより二酸化炭素がリッチな液（以下、「リッチ溶液」ともいう。）と二酸化炭素がリーンな液（以下、「リーン溶液」ともいう。）に分離するものが知られている。
【０００４】
特許文献１には、リッチ溶液とリーン溶液に分離する吸収液を用いた二酸化炭素分離回収システムが開示されている。このシステムでは、吸収塔に導入された吸収液が、充填層を構成する充填材の表面を下方に向けて流れることで、吸収塔内を上昇する排ガスと向流接触する。充填層にて二酸化炭素を含むガス中の二酸化炭素を吸収した吸収液は、吸収塔の底に一時的に貯留された後に吸収塔から送出される。吸収塔から送出された吸収液は、熱交換器で加熱された後に、分離器に送られる。分離器では、吸収液がリッチ溶液とリーン溶液に分離される。リッチ溶液はリーン溶液よりも比重が大きいため、リッチ溶液は分離器の下部に移動し、リーン溶液は分離器の上部に移動する。こうして、分離器内の吸収液は、二酸化炭素がリーンな上層と二酸化炭素がリッチな下層の二層に分離した状態となり、上層のリーン溶液が吸収塔に送られ、下層のリッチ溶液が再生塔に送られる。
【０００５】
再生塔に送られたリッチ溶液は、再生塔内で降下しながら、リボイラ（加熱器）から供給される水蒸気により加熱されて二酸化炭素を放出する。放出された二酸化炭素は、再生塔の上部から排出され、貯留設備に移送および回収される。一方、二酸化炭素を放出したリッチ溶液は、リーン溶液となり、再生塔の底部に貯留された後、吸収塔へと還流される。再生塔の底部に貯留されたリーン溶液の一部は、リボイラに供給されて加熱され、その後再生塔に戻される。リボイラで加熱されたリーン溶液からは、残留する二酸化炭素が放出されるとともに水蒸気が発生し、発生した水蒸気は再生塔内で降下するリッチ溶液を加熱する。
【先行技術文献】
【特許文献】
【０００６】
【特許文献１】特開２０１５−１６３３８１号公報
【非特許文献】
【０００７】
【非特許文献１】Jiafei Zhang et al.,"Development of an energy-efficient CO2 capture process using thermomorphic biphasic solvents", Energy Procedia 37 (2013) 1254 - 1261
【発明の概要】
【発明が解決しようとする課題】
【０００８】
ところで、吸収液の中には、二酸化炭素を吸収する反応に水を使用するものがある。本願発明者らは、鋭意研究の結果、吸収液の種類によっては、アルカリ性化合物を主成分とするアルカリ溶液からなる上層と、二酸化炭素を吸収する反応によって生成される生成物を主成分とする溶液を含む下層とに分離することを見出している。また、本願発明者らは、このような吸収液が再生塔や加熱器で静置されると、アルカリ性化合物を含有する上層と水を多量に含有する下層とに分離することも見出している。このように分離した吸収液を再生塔又は加熱器から吸収塔に戻してしまうと、還流させた吸収液に十分に二酸化炭素を吸収させることができないおそれがある。このため、二層分離する吸収液を用いる場合には、アルカリ性化合物と水のバランスがとれた吸収液を吸収塔に還流させるために、再生塔や加熱器内の吸収液を撹拌させる必要がある。
【０００９】
再生塔内に貯留された吸収液を撹拌させる従来技術（例えば、非特許文献１参照）としては、再生塔の底部に設けた攪拌翼が知られている。しかしながら、再生塔内の圧力が５×１０５Ｐａ以上の高圧域に設定された二酸化炭素分離回収システムでは、撹拌翼のような回転体のシールは信頼性を確保することが難しくなる。このため、高圧条件下で、撹拌翼を用いない簡易な方法で二層分離する吸収液を撹拌できるシステムが望まれる。
【００１０】
本発明の目的は、二層分離する吸収液を５×１０５Ｐａ以上の高圧条件下で容易に撹拌することができる二酸化炭素分離回収システムを提供することにある。
【課題を解決するための手段】
【００１１】
上記の問題を解決するために、本発明の一態様に係る二酸化炭素分離回収システムは、アルカリ性化合物を含み、前記アルカリ性化合物、二酸化炭素および水が反応して二酸化炭素を吸収する吸収液であって、前記アルカリ性化合物を主成分とするアルカリ溶液からなる上層と、前記反応により生成される生成物を主成分とする溶液を含む下層であって、上層よりも水との親和性が高い下層とに分離する性質を有する吸収液に、二酸化炭素を吸収させる吸収塔と、二酸化炭素を吸収した吸収液を前記吸収塔から送出する送出路と、内部の圧力が５×１０５Ｐａ以上の高圧域に設定された、内部で前記送出路から供給された吸収液が降下して、底部に貯留される再生塔と、前記再生塔から供給された吸収液が溜められる液溜め部を有し、前記液溜め部に溜められた吸収液を加熱して、吸収液中から水蒸気を発生させる加熱器と、前記再生塔の底部に貯留された吸収液を前記加熱器に供給する第１供給路と、前記加熱器で発生した水蒸気を前記再生塔に供給して、前記再生塔内で降下する吸収液と接触させる第２供給路と、前記液溜め部に溜められた吸収液が攪拌されるように、前記液溜め部から抜き出すとともに、抜き出した吸収液を前記液溜め部に戻す加熱器用循環路と、前記加熱器用循環路に設けられた加熱器用ポンプとを有する加熱器用循環装置と、前記加熱器内で攪拌された吸収液を前記吸収塔に還流する還流路と、を備える。
【００１２】
上記の構成によれば、加熱器用循環装置が、シールが比較的容易であるポンプを用いて、液溜め部内の吸収液を、循環路を通じて循環させ攪拌することができる。このため、加熱器内の二層分離する吸収液を５×１０５Ｐａ以上の高圧条件下で容易に撹拌することができる。
【００１３】
上記の二酸化炭素分離回収システムは、前記再生塔の底部に貯留された吸収液が攪拌されるように、前記再生塔の底部から抜き出すとともに、抜き出した吸収液を前記再生塔の底部に戻す再生塔用循環路と、前記再生塔用循環路に設けられた再生塔用ポンプとを有する再生塔用循環装置を更に備えてもよい。再生塔の底部に貯留された上層及び下層の吸収液のどちらか一方を加熱器に供給するとすれば、再生塔から加熱器に供給されるアルカリ性化合物及び水のバランスが崩れ、再生塔内の二酸化炭素放出後のアルカリ性化合物と水のバランスが崩れる。しかし、上記の構成によれば、再生塔用循環装置が、シールが比較的容易であるポンプを用いて、再生塔内の吸収液を、循環路を通じて循環させ攪拌することができる。このため、再生塔内の二層分離する吸収液を高圧条件下で容易に撹拌することができる。
【００１４】
また、本発明の別の態様に係る二酸化炭素分離回収システムは、アルカリ性化合物を含み、前記アルカリ性化合物、二酸化炭素および水が反応して二酸化炭素を吸収する吸収液であって、前記アルカリ性化合物を主成分とするアルカリ溶液からなる上層と、前記反応により生成される生成物を主成分とする溶液を含む下層であって、上層よりも水との親和性が高い下層とに分離する性質を有する吸収液に、二酸化炭素を吸収させる吸収塔と、二酸化炭素を吸収した吸収液を前記吸収塔から送出する送出路と、内部の圧力が５×１０５Ｐａ以上の高圧域に設定された、内部で前記送出路から供給された吸収液が降下して、底部に貯留される再生塔と、前記再生塔から供給された吸収液を加熱して、吸収液中から水蒸気を発生させる加熱器と、前記再生塔の底部に貯留された吸収液を前記加熱器に供給する第１供給路と、前記加熱器で発生した水蒸気を前記再生塔に供給して、前記再生塔内で降下する吸収液と接触させる第２供給路と、前記再生塔の底部に貯留された吸収液が攪拌されるように、前記再生塔の底部から抜き出すとともに、抜き出した吸収液を前記再生塔の底部に戻す再生塔用循環路と、前記再生塔用循環路に設けられた再生塔用ポンプとを有する再生塔用循環装置と、前記加熱器内の吸収液を前記再生塔に還流する第１還流路と、前記再生塔の底部に貯留された吸収液を前記吸収塔に還流する第２還流路と、を備える。
【００１５】
上記の構成によれば、再生塔用循環装置が、シールが比較的容易であるポンプを用いて、再生塔内の吸収液を、循環路を通じて循環させ攪拌することができる。このため、再生塔内の二層分離する吸収液を５×１０５Ｐａ以上の高圧条件下で容易に撹拌することができる。
【００１６】
上記の二酸化炭素分離回収システムにおいて、前記加熱器は、前記再生塔から供給された吸収液が溜められる液溜め部を有し、上記の二酸化炭素分離回収システムは、前記液溜め部に溜められた吸収液が攪拌されるように、前記液溜め部から抜き出すとともに、抜き出した吸収液を前記液溜め部に戻す加熱器用循環路と、前記加熱器用循環路に設けられた加熱器用ポンプとを有する加熱器用循環装置を更に備えてもよい。加熱器の液溜め部に貯留された上層及び下層の吸収液のどちらか一方を再生塔に供給するとすれば、加熱器から再生塔に供給されるアルカリ性化合物及び水のバランスが崩れ、加熱器内の二酸化炭素放出後のアルカリ性化合物と水のバランスが崩れる。しかし、上記の構成によれば、加熱器用循環装置が、シールが比較的容易であるポンプを用いて、加熱器内の吸収液を、循環路を通じて循環させ攪拌することができる。このため、加熱器内の二層分離する吸収液を高圧条件下で容易に撹拌することができる。
【００１７】
上記の二酸化炭素分離回収システムにおいて、前記第１供給路には、供給ポンプが設けられており、前記加熱器は、前記第１供給路を介して供給された吸収液が溜められる液溜め部と、前記液溜め部から溢れた吸収液を受ける液受け部を有してもよい。
【００１８】
上記の二酸化炭素分離回収システムにおいて、前記加熱器は、前記第１供給路を介してサイフォン効果により吸収液が供給され、その吸収液が溜められる液溜め部を有してもよい。
【発明の効果】
【００１９】
本発明によれば、二層分離する吸収液を５×１０５Ｐａ以上の高圧条件下で容易に撹拌することができる二酸化炭素分離回収システムを提供することができる。
【図面の簡単な説明】
【００２０】
【図１】第１実施形態に係る二酸化炭素分離回収システムの概略構成図である。
【図２】第２実施形態に係る二酸化炭素分離回収システムの概略構成図である。
【図３】第３実施形態に係る二酸化炭素分離回収システムの概略構成図である。
【発明を実施するための形態】
【００２１】
以下、本発明に係る実施形態について図面を参照しつつ説明する。なお、以下では、全ての図面を通じて同一または相当する要素には同じ符号を付して、重複する説明は省略する。
【００２２】
（第１実施形態）
図１は、第１実施形態に係る二酸化炭素分離回収システム１Ａの概略図である。二酸化炭素分離回収システム１Ａは、二酸化炭素を吸収する吸収液を用いて、被処理ガス中の二酸化炭素を分離および回収するものである。なお、図面では、被処理ガスに含まれる二酸化炭素（ＣＯ２）以外のガスの例として、窒素ガス（Ｎ２）を例示的に示す。
【００２３】
図１に示すように、二酸化炭素分離回収システム１Ａは、吸収塔１１と、送出路２１と、再生塔３１と、還流路４１とを備えている。吸収塔１１の底部１１ｂには、吸収液が貯留されている。吸収液は吸収塔１１の内部で、吸収塔１１に導入された被処理ガスに含まれる二酸化炭素を吸収する。送出路２１は、吸収塔１１の底部１１ｂに貯留された吸収液を吸収塔１１から送出する。送出路２１を介して再生塔３１に送入された吸収液は、再生塔３１にて二酸化炭素を放出した後、還流路４１を介して吸収塔１１に還流する。こうして、吸収液は、送出路２１および還流路４１を介して吸収塔１１と再生塔３１の間を循環している。
【００２４】
二酸化炭素分離回収システム１Ａは、吸収液中のアルカリ性化合物と二酸化炭素を反応させることにより吸収液中に二酸化炭素を吸収させる化学吸収法を採用している。アルカリ性化合物としては、例えば、アミン化合物である。アミン化合物としては、一級アルカノールアミンであるモノエタノールアミン（ＭＥＡ）、ジグリコールアミン（ＤＧＡ）、２−アミノ−２−メチル−１−プロパノール（ＡＭＰ）、二級アルカノールアミンである２−メチルアミノエタノール（ＭＡＥ）、２−エチルアミノエタノール（ＥＡＥ）、２−イソプロピルアミノエタノール（ＩＰＡＥ）、ジエタノールアミン（ＤＥＡ）、ジイソプロパノールアミン（ＤＩＰＡ）、三級アルカノールアミンであるＮ−メチルジエタノールアミン（ＭＤＥＡ）、トリエタノールアミン（ＴＥＡ）、三級アルキルアミンであるＮ，Ｎ，Ｎ’，Ｎ’−テトラメチル−１，６−ジアミノヘキサン（ＴＭＤＡＨ）、Ｎ，Ｎ，Ｎ’，Ｎ’−テトラメチル−１，３−ジアミノブタン（ＴＭＤＡＢ）、ビス（２−ジメチルアミノエチル）エーテル（ＢＤＥＲ）等が挙げられる。
【００２５】
本実施形態では、吸収液の中でも、二酸化炭素を吸収する反応に水を使用するものが用いられている。更に、本実施形態では、二酸化炭素の吸収に水を使用する吸収液の中でも、二酸化炭素を吸収することにより、アルカリ性化合物を主成分とするアルカリ溶液からなる上層と、二酸化炭素を吸収する反応によって生成される生成物を主成分とする溶液を含む下層とに分離する性質を有したものが用いられている。このため、吸収塔１１の底部１１ｂでは、アルカリ性化合物を主成分とするアルカリ溶液からなる上層Ｌ１と、二酸化炭素吸収反応による生成物を主成分とする溶液を含む下層Ｌ２とに分離した状態で吸収液が貯留されている。二酸化炭素吸収反応による生成物を主成分とする溶液を含む下層Ｌ２の吸収液は、アルカリ性化合物を主成分とするアルカリ溶液からなる上層Ｌ１の吸収液よりも水との親和性が高い。このため、吸収塔１１の底部１１ｂに貯留された吸収液が含む水の大部分は、下層Ｌ２の吸収液に存在している。本実施形態では、このような吸収液として、上述のビス（２−ジメチルアミノエチル）エーテル（ＢＤＥＲ）を含む水溶液を用いているが、これに限定されず、上述の性質を有する吸収液であればよい。なお、本願明細書および特許請求の範囲において、上層Ｌ１と下層Ｌ２との境界は、界面であってもよいし、グラデーション層であってもよい。また、吸収塔１１の底部１１ｂに貯留された吸収液が静置されていない場合には、吸収塔１１の底部１１ｂに貯留された吸収液は、上層Ｌ１と下層Ｌ２とに分離していなくてもよい。
【００２６】
吸収塔１１では、吸収塔１１内部に導入された被処理ガスに、還流路４１を介して再生塔３１から吸収塔１１に還流した吸収液を接触させて、被処理ガス中の二酸化炭素を吸収液に吸収させる。吸収塔１１は、例えば略円柱状または略多角柱状であって、上下方向に延びる内部空間を有する。被処理ガスの圧力及び吸収塔１１内の圧力は、２×１０５Ｐａ以上であり、例えば２×１０５〜１００×１０５Ｐａの範囲に設定されている。還流路４１の下流端には、吸収塔１１に還流した吸収液を放出して吸収塔１１内で降下させる吸収液放出部４１ａが設けられており、吸収液放出部４１ａは、吸収塔１１内に配置されている。吸収液放出部４１ａには、還流した吸収液を放出する複数の放出口が形成されており、該放出口から放出された吸収液は、吸収塔１１内で降下する。吸収塔１１内で降下する吸収液は、吸収塔１１内で上昇する被処理ガスと向流接触する。
【００２７】
被処理ガスは、導入路１２を介して吸収塔１１内部に導入される。被処理ガスは、例えば、石炭ガス化ガス、天然ガス田から採掘される二酸化炭素等の不純物を含む天然ガス、石炭、重油、天然ガスなどを燃料とする火力発電所、製鉄所のボイラ、セメント工場のキルン等から排出されるガスである。
【００２８】
本実施形態では、導入路１２の下流部が吸収塔１１の内部に配置されており、導入路１２のこの下流部には、吸収塔１１の底部１１ｂに貯留された吸収液中に被処理ガスを噴出するバブリング部１２ａが設けられている。具体的に、バブリング部１２ａは、導入路１２の下流部を構成する配管と該配管に設けられた複数の噴出口を有する構成である。本実施形態では、バブリング部１２ａは、上層Ｌ１の吸収液中に配置されている。ただし、バブリング部１２ａは、下層Ｌ２の吸収液中に配置されてもよい。また、導入路１２の下流部にバブリング部１２ａが設けられていなくてもよく、導入路１２の下流部は、吸収塔１１の底部１１ｂに貯留された吸収液の液面より上方に位置していてもよい。
【００２９】
吸収塔１１内における、吸収液放出部４１ａより下方であって吸収塔１１の底部１１ｂに貯留された吸収液の液面より上方には、多数の充填材が充填された充填層１３が設けられている。充填層１３は、吸収塔１１内で降下する吸収液と吸収塔１１内で上昇する被処理ガスとの接触面積を拡大すると共に、吸収液が二酸化炭素を吸収するのに十分な接触時間を確保するためのものである。ただし、吸収塔１１内には、充填層１３が設けられていなくてもよい。あるいは、充填層１３の代わりにまたは充填層１３に加えて、流動接触用の複数のトレイを用いた棚段が吸収塔１１内に設けられてもよい。
【００３０】
被処理ガスは、導入路１２を通って吸収塔１１の内部に導かれ、バブリング部１２ａにより、被処理ガス中の大部分の二酸化炭素が吸収塔１１の底部１１ｂに貯留された吸収液に吸収される。吸収液に吸収されずに残った少量の二酸化炭素を含む被処理ガスは、吸収塔１１の内部を上昇する。被処理ガスは、吸収塔１１内を上昇する際に、充填層１３などで吸収液放出部４１ａから放出された吸収液と接触し、更に二酸化炭素を吸収され、その後、吸収塔１１の上部１１ａに接続されたガス排出路１４を通じて吸収塔１１から排出される。
【００３１】
吸収塔１１の底部１１ｂに貯留された吸収液のうち下層Ｌ２の吸収液は、送出路２１に設けられたポンプ２２により、送出路２１を介して吸収塔１１から再生塔３１に送出される。本実施形態では、送出路２１の上流端は、吸収塔１１の底部１１ｂに接続されている。送出路２１は、吸収塔１１の底部１１ｂに貯留された吸収液を吸収塔１１から直接再生塔３１に送出してもよいし、その途中に別途設けられた装置を経由して再生塔３１に送出してもよい。本実施形態では、送出路２１には、後述する熱交換器４３が設けられており、送出路２１を流れる吸収液と還流路４１を流れる吸収液とが熱交換される。
【００３２】
再生塔３１では、送出路２１を介して送入された吸収液を加熱して二酸化炭素を放出させる。再生塔３１は、例えば略円柱状または略多角柱状であって、上下方向に延びる内部空間を有する。本実施形態の再生塔３１内の圧力は、高圧域に設定されている。本明細書及び特許請求の範囲において「高圧域」とは、再生塔３１内の圧力が５×１０５Ｐａ以上であることを示し、例えば本実施形態では、再生塔３１内の圧力が５×１０５〜１００×１０５Ｐａの範囲に設定されている。送出路２１の下流端には、再生塔３１に送られた吸収液を放出して再生塔３１内で降下させる吸収液放出部２１ａが設けられており、吸収液放出部２１ａは、再生塔３１内に配置されている。吸収液放出部２１ａには、再生塔３１の内部空間に吸収液を放出する複数の放出口が形成されており、該放出口から放出された吸収液は、再生塔３１内で降下する。
【００３３】
再生塔３１内であって吸収液放出部２１ａより下方には、多数の充填材が充填された充填層３２が設けられている。充填層３２は、再生塔３１内で降下する吸収液と後述する加熱器６０から供給される加熱された水蒸気との接触面積を拡大すると共に、吸収液が二酸化炭素を放出するのに十分な接触（加熱）時間を確保するためのものである。ただし、再生塔３１内には、充填層３２が設けられていなくてもよい。あるいは、充填層３２の代わりにまたは充填層３２に加えて、流動接触用の複数のトレイを用いた棚段が再生塔３１内に設けられてもよい。
【００３４】
再生塔３１の外部には、吸収液を加熱して、吸収液中から水蒸気を発生させる加熱器６０が設けられている。加熱器６０と再生塔３１は、第１供給路６１により接続されている。第１供給路６１に設けられたポンプ６２により、再生塔３１の底部３１ｂに貯留された吸収液が第１供給路６１を通って加熱器６０に導かれる。ただし、ポンプ６２は無くても良い。
【００３５】
本実施形態では、加熱器６０は、ケトル型の加熱器である。具体的に、加熱器６０は、第１供給路６１を介して供給された吸収液が溜められる液溜め部６３を有する。液溜め部６３に溜まった吸収液は、堰６４に堰き止められている。液溜め部６３に溜まった吸収液は、その中に配置されたチューブ６５を通過する蒸気（ＳＴＭ）により加熱される。これにより、吸収液中に残存する二酸化炭素が放出されるとともに、吸収液中の水が蒸発し、水蒸気が発生する。液溜め部６３で吸収液中から発生した水蒸気は、該吸収液から放出された二酸化炭素とともに、排気口６６から排出され、第２供給路６７により再生塔３１に導かれる。
【００３６】
また、加熱器６０は、液溜め部６３から溢れた吸収液を受ける液受け部６８を有する。液受け部６８は、堰６４により液溜め部６３と仕切られている。液溜め部６３に溜まった吸収液は、第１供給路６１により液溜め部６３に吸収液が供給されることにより、液溜め部６３から溢れて堰６４を超える。堰６４を超えた吸収液は、液受け部６８で受けられ、液受け部６８に設けられた液排出口６９から排出される。液排出口６９は、還流路４１に接続されている。
【００３７】
加熱器６０には、液溜め部６３に溜められた吸収液が攪拌されるように、液溜め部６３から抜き出した吸収液を液溜め部６３に戻す加熱器用循環装置７０が設けられている。加熱器用循環装置７０は、液溜め部６３から吸収液を抜き出すとともに、抜き出した吸収液を液溜め部６３に戻す循環路７１と、循環路７１に設けられたポンプ７２とを有する。本実施形態では、循環路７１の下流端が加熱器６０内の液溜め部６３上方に位置している。循環路７１のこの下流端には、液溜め部６３に溜まった吸収液の液面に向かって吸収液を噴出する複数のノズル７３が設けられている。本実施形態では、加熱器用循環装置７０が、ポンプ７２により液溜め部６３に溜まった吸収液の下側部分を循環路７１に抜き出し、抜き出した吸収液を循環路７１から液溜め部６３に溜まった吸収液の上側部分に戻している。そして、戻された吸収液が沈降することによって、加熱器６０内の液溜め部６３に溜まった吸収液は攪拌される。
【００３８】
また、再生塔３１には、再生塔３１の底部３１ｂに貯留された吸収液が攪拌されるように、再生塔３１の底部３１ｂから抜き出した吸収液を再生塔３１の底部３１ｂに戻す再生塔用循環装置８０が設けられている。本実施形態では、再生塔用循環装置８０は、再生塔３１から吸収液を抜き出すとともに、抜き出した吸収液を再生塔３１に戻す循環路８１と、循環路８１に設けられたポンプ８２とを有する。本実施形態では、循環路８１の下流端が再生塔３１の内部に配置されている。循環路８１のこの下流端には、再生塔３１の底部３１ｂに貯留された吸収液の液面に向かって吸収液を噴出する複数のノズル８３が設けられている。本実施形態では、再生塔用循環装置８０が、ポンプ８２により再生塔３１の底部３１ｂに貯留された吸収液の下側部分を循環路８１に抜き出し、抜き出した吸収液を循環路８１から再生塔３１の底部３１ｂに貯留された吸収液の上側部分に戻している。そして、戻された吸収液が沈降することによって、再生塔３１の底部３１ｂに貯留された吸収液は攪拌される。
【００３９】
すなわち、再生塔用循環装置８０により、再生塔３１の底部３１ｂで攪拌された吸収液が、第１供給路６１を通じて加熱器６０に供給される。そして、加熱器用循環装置７０により、加熱器６０内の液溜め部６３で攪拌された吸収液が、還流路４１に設けられたポンプ４２により、還流路４１を介して再生塔３１から吸収塔１１に供給される。
【００４０】
還流路４１は、加熱器６０から排出された吸収液を直接吸収塔１１に供給するように構成されていてもよいし、その途中に別途設けられた装置を経由して吸収塔１１に送出してもよい。
【００４１】
本実施形態では、還流路４１には、熱交換器４３が設けられている。熱交換器４３は、送出路２１を流れる低温の吸収液（例えば４０℃）と還流路４１を流れる高温の吸収液（例えば１２０℃）が熱交換するように構成されている。送出路２１を流れる吸収液の温度は、熱交換器４３にて例えば１００℃〜１１５℃まで上昇する。一方、還流路４１を流れる吸収液の温度は、熱交換器４３にて例えば４５℃〜６０℃まで下がる。
【００４２】
また、還流路４１における熱交換器４３より下流側部分には、冷却器４４が設けられている。例えば、冷却器４４は、還流路４１を流れる吸収液と冷水が熱交換するように構成されている。冷却器４４は、還流路４１を流れる吸収液を大気により冷却するように構成されてもよい。還流路４１を流れる吸収液の温度は、冷却器４４に冷却されることにより、二酸化炭素の吸収に適した温度、例えば３０℃〜４５℃まで下がる。
【００４３】
第２供給路６７により加熱器６０から再生塔３１に導かれた水蒸気は、例えば充填層３２などで、降下する吸収液を加熱し、吸収液中の二酸化炭素を放出させる。放出された二酸化炭素は、加熱器６０で発生した水蒸気とともに再生塔３１内部を上昇し、再生塔３１の上部３１ａに接続されたガス排出路５１を通じて再生塔３１から排出される。
【００４４】
ガス排出路５１には、上流側から順に、再生塔３１から排出されたガスの内の水蒸気を凝縮する冷却器５２と、冷却器５２により凝縮された凝縮水と二酸化炭素とを分離する気液分離器５３（例えばベッセル）が設けられている。二酸化炭素とともに冷却器５２に供給された水蒸気は、冷却器５２により凝縮される。冷却器５２で生じた凝縮水と二酸化炭素の混合流体は、気液分離器５３で二酸化炭素と凝縮水に分離される。気液分離器５３で分離された二酸化炭素は、ガス排出路５１における気液分離器５３より下流側部分５１ｂを通じて回収される。気液分離器５３で分離された凝縮水は、ポンプ５５により戻し路５６を介して再生塔３１内に戻される。
【００４５】
以上説明したように、本実施形態に係る二酸化炭素分離回収システム１Ａでは、加熱器用循環装置７０が、シールが比較的容易であるポンプ７２を用いて、液溜め部６３内の吸収液を、循環路７１を通じて循環させ攪拌することができる。このため、加熱器６０内の二層分離する吸収液を５×１０５Ｐａ以上の高圧条件下で容易に撹拌することができる。
【００４６】
また、本実施形態では、再生塔用循環装置８０が、シールが比較的容易であるポンプ８２を用いて、再生塔３１内の吸収液を、循環路８１を通じて循環させ攪拌することができる。このため、再生塔３１内の二層分離する吸収液を高圧条件下で容易に撹拌することができる。
【００４７】
（第２実施形態）
次に、図２を参照して、第２実施形態に係る二酸化炭素分離回収システム１Ｂを説明する。本実施形態では、吸収液が再生塔３１から吸収塔１１に流れるまでの経路が、第１実施形態における経路と異なる。具体的には、本実施形態の二酸化炭素分離回収システム１Ｂは、第１実施形態で加熱器６０から吸収塔１１につながる還流路４１の代わりに、加熱器６０から再生塔３１につながる第１還流路４５と、再生塔３１から吸収塔１１につながる第２還流路４６を備える。
【００４８】
第１還流路４５は、加熱器６０内の吸収液を再生塔３１に還流する。第１還流路４５には、ポンプ４７が設けられている。第１還流路４５により還流される吸収液は、例えば、再生塔３１内における、再生塔３１の底部３１ｂに貯留された吸収液の液面より上方、あるいは当該液面近傍の液中に戻される。第２還流路４６は、再生塔３１の底部３１ｂに貯留された吸収液を吸収塔１１に還流する。第２還流路４６には、ポンプ４２、熱交換器４３及び冷却器４４が、上流側から下流側に向かってこの順に設けられている。
【００４９】
本実施形態に係る二酸化炭素分離回収システム１Ｂでは、再生塔用循環装置８０が、シールが比較的容易であるポンプ８２を用いて、再生塔３１内の吸収液を、循環路８１を通じて循環させ攪拌することができる。このため、再生塔３１内の二層分離する吸収液を高圧条件下で容易に撹拌することができる。
【００５０】
また、本実施形態では、加熱器用循環装置７０が、シールが比較的容易であるポンプ７１を用いて、加熱器６０内の吸収液を、循環路７１を通じて循環させ攪拌することができる。このため、加熱器６０内の二層分離する吸収液を高圧条件下で容易に撹拌することができる。
【００５１】
（第３実施形態）
次に、図３を参照して、第３実施形態に係る二酸化炭素分離回収システム１Ｃを説明する。本実施形態では、第１実施形態とは異なり、ポンプ６２により吸収液が供給されるケトル型の加熱器６０の代わりに、サイフォン効果を利用して吸収液が供給される加熱器１６０が用いられている。また、本実施形態では、第１実施形態とは異なり、第１供給路６１にポンプ６２が設けられていない。
【００５２】
具体的に、本実施形態の加熱器１６０は、例えば上下方向に延びる容器であり、第１供給路６１を介して供給された吸収液が溜められる液溜め部１６３を有する。液溜め部１６３は、加熱媒体により加熱可能に構成されている。加熱器１６０の液溜め部１６３には、第１供給路６１の下流端および還流路４１の上流端が接続されている。本実施形態では、再生塔３１の底部３１ｂに貯留された吸収液の液面と加熱器１６０内の液溜め部１６３に貯留された吸収液の液面が、重力により同じ高さとなっている。
【００５３】
すなわち、液溜め部１６３には、第１供給路６１を介してサイフォン効果により吸収液が供給される。より詳しくは、ポンプ４２により還流路４１を介して再生塔３１から吸収塔１１に供給されると、液溜め部１６３に溜められた吸収液の液面が下がる。その結果、再生塔３１の底部３１ｂに貯留された吸収液の液面と液溜め部１６３に溜められた吸収液の液面の差によって、第１供給路６１の上端と下端の圧力差が生じる。この圧力差を動力として、再生塔３１の底部３１ｂに貯留された吸収液は、第１供給路６１を介して液溜め部１６３に供給される。
【００５４】
液溜め部１６３に溜められた吸収液は、加熱媒体により加熱されて、残存する二酸化炭素を放出するとともに、水蒸気を発生させる。液溜め部１６３で吸収液中から発生した水蒸気は、該吸収液から放出された二酸化炭素とともに、加熱器１６０の上部に設けられた排気口１６６から排出される。排気口１６６から排出された二酸化炭素および水蒸気は、第２供給路６７により再生塔３１に導かれる。
【００５５】
加熱器１６０には、液溜め部１６３の吸収液を攪拌させる加熱器用循環装置１７０が設けられている。本実施形態では、加熱器用循環装置１７０は、液溜め部１６３から吸収液を抜き出すとともに、抜き出した吸収液を液溜め部１６３に戻す循環路１７１と、循環路１７１に設けられたポンプ１７２とを有する。加熱器用循環装置１７０が、ポンプ１７２により液溜め部１６３に溜まった吸収液の下側部分を循環路１７１に抜き出し、抜き出した吸収液を循環路１７１から液溜め部１６３に溜まった吸収液の上側部分に戻している。そして、戻された吸収液が沈降することによって、液溜め部１６３内の吸収液は攪拌される。
【００５６】
本実施形態でも、第１実施形態と同様の効果を得ることができる。
【００５７】
（その他の実施形態）
本発明は上述した実施形態に限定されるものではなく、本発明の要旨を逸脱しない範囲で種々の変形が可能である。
【００５８】
例えば、上記の二酸化炭素分離回収システム１Ａ，１Ｃでは、再生塔３１には必ずしも再生塔用循環装置８０が設けられていなくてもよい。この場合に、再生塔３１の底部３１ｂに貯留された吸収液が上層Ｌ１と下層Ｌ２に分離するときは、第１供給路６１は下層Ｌ２の吸収液を加熱器６０，１６０に供給するように設けられる。また、上記の二酸化炭素分離回収システム１Ｂでは、加熱器６０には必ずしも加熱器用循環装置７０が設けられていなくてもよい。
【００５９】
また、二酸化炭素分離回収システム１Ｃの加熱器１６０は必ずしも再生塔３１の外部に設けられていなくてもよく、再生塔３１の内部に設けられてもよい。
【００６０】
また、上記実施形態では、循環路７１の下流端に、液溜め部６３に溜まった吸収液の液面に向かって吸収液を噴出する複数のノズル７３が設けられていたが、循環路７１の下流端に複数のノズル７３が設けられていなくてもよい。また、循環路８１の下流端にも、再生塔３１の底部３１ｂに貯留された吸収液の液面に向かって吸収液を噴出する複数のノズル８３が設けられていなくてもよい。
【００６１】
また、上記実施形態では、複数のノズル７３の先端が、加熱器６０内の液溜め部６３上方に位置しているが、複数のノズル７３の先端は、加熱器６０内の液溜め部６３に溜められた吸収液の液面より下方に位置していてもよい。但し、複数のノズル７３の先端が液中に位置する場合、ノズル７３の先端より上側に位置する吸収液の攪拌効率が低下するため、複数のノズル７３の先端は、加熱器６０内の液溜め部６３に溜められた吸収液の液面より上方に位置させた方が好ましい。また、上記実施形態では、複数のノズル８３の先端も再生塔３１の底部３１ｂに貯留された吸収液中に位置してもよいが、同様の理由で、再生塔３１の底部３１ｂに貯留された吸収液の液面より上方に位置させた方が好ましい。
【符号の説明】
【００６２】
１Ａ〜１Ｃ  二酸化炭素分離回収システム
１１    吸収塔
１４    充填層
２１    送出路
３１    再生塔
４１    還流路
４５    第１還流路
４６    第２還流路
６０，１６０  加熱器
６１    第１供給路
６２    ポンプ（供給ポンプ）
６３，１６３  液溜め部
６７    第２供給路
６８    液受け部
７０，１７０  加熱器用循環装置
７１，１７１  循環路（加熱器用循環路）
７２，１７２  ポンプ（加熱器用ポンプ）
８０    再生塔用循環装置
８１  循環路（再生塔用循環路）
８２  ポンプ（再生塔用ポンプ）
【図１】
2018134604.tif 000003
【図２】
2018134604.tif 000004
【図３】
2018134604.tif 000005